(57)【要約】【課題】  中央装置に複数の表示端末が接続されている画面共有システムにおいて、共有画像の送信元の表示端末を、共有画像の送信先の表示端末を用いて操作することができる会議システムを実現する。【解決手段】  本発明の会議システムは、中央装置に複数の表示端末が接続された画面共有システムにおいて、中央装置は、受信部にて受信した受信データの種別を判定するデータ判定部を備え、データ判定部は、受信データが前記画面データであると判定した場合に、ゲスト端末として登録された表示端末に受信データを送信するように指示し、受信データがコマンドデータであると判定した場合に、ホスト端末として登録された表示端末に受信データを送信するように指示することを特徴とする。【選択図】  図１
2014146229.tif 000002
【特許請求の範囲】
【請求項１】
中央装置に複数の表示端末が接続された画面共有システムにおいて、
前記中央装置は、
前記複数の表示端末から、画面データ及びコマンドデータを含む受信データを受信する受信部と、
前記複数の表示端末に、画面データ及びコマンドデータを送信する送信部と、
前記受信部にて受信した前記受信データの種別を判定するデータ判定部と、
前記複数の表示端末のうち１台をホスト端末として登録し、該ホスト端末を除く少なくとも１台の表示端末をゲスト端末として登録する端末登録部と、
を備え、
前記ホスト端末は、前記画面データを出力し、
前記ゲスト端末は、前記ホスト端末を制御するためのコマンドデータを出力するものであり、
前記データ判定部は、
前記受信データが前記画面データであると判定した場合に、前記送信部に、前記ゲスト端末として登録された前記表示端末に前記受信データを送信するように指示し、
前記受信データが前記コマンドデータであると判定した場合に、前記送信部に、前記ホスト端末として登録された前記表示端末に前記受信データを送信するように指示する
ことを特徴とする画面共有システム。
【請求項２】
前記ゲスト端末は、コマンド変換手段を有し、
前記コマンド変換手段は、前記コマンドデータが座標データである場合に、該座標データを前記画面データにおける相対位置に基づいて変換し、前記中央装置に対して出力するものであることを特徴とする、請求項１に記載の画面共有システム。
【請求項３】
前記コマンド変換手段は、前記コマンドデータをまとめて一つのコマンドデータ群に変換し、前記中央装置に対して出力するものであることを特徴とする、請求項２に記載の画面共有システム。
【請求項４】
前記複数の表示端末は、前記中央装置と複数の通信規格によって接続されているものであり、
前記複数の表示端末及び前記中央装置は、送信するデータの種別に応じて通信規格を切り替える規格選択部をさらに有することを特徴とする、請求項１から３のいずれか一項に記載の画面共有システム。
【請求項５】
複数の表示端末から、画面データ及びコマンドデータを含む受信データを受信する受信部と、
複数の表示端末に、画面データ及びコマンドデータを送信する送信部と、
前記受信部にて受信した前記受信データの種別を判定するデータ判定部と、
前記複数の表示端末のうち１台をホスト端末として登録し、該ホスト端末を除く少なくとも１台の表示端末をゲスト端末として登録する端末登録部と、
を備え、
前記データ判定部は、
前記受信データが前記画面データであると判定した場合に、前記送信部に、前記ゲスト端末として登録された前記表示端末に前記受信データを送信するように指示し、
前記受信データが前記コマンドデータであると判定した場合に、前記送信部に、前記ホスト端末として登録された前記表示端末に前記受信データを送信するように指示する
ことを特徴とする中央装置。
【発明の詳細な説明】
【技術分野】
【０００１】
本発明は、電子会議等に用いられる画面共有システム及び中央装置に関するものである。
【背景技術】
【０００２】
複数台の表示端末を中央装置に接続し、表示端末同士で表示内容の共有を行うことのできる画面共有システムが知られている。
【０００３】
例えば、特許文献１の会議システムにおいては、図６（ａ）に示したように、複数のリモートＰＣ１０１が、無線ネットワークインタフェイス（Ｉ／Ｆ）１０３を介して、ホストＰＣ１０４へ無線接続されている。ホストＰＣ１０４は、会議システムを制御するコンピュータで、端末の接続認証、ディスプレイ１０５の描画などを行うコマンドの実行、会議システム全体の流れを制御するプログラムを実行する。
【０００４】
ディスプレイ１０５は、会議システム用の大型ディスプレイで、会議の参加者全員が同時に観ることができる大きさの表示画面を有している。
【０００５】
図６（ｂ）は、リモートＰＣ１０１によるホストＰＣ１０４の操作例を示す図で、リモートＰＣ１０１の描画操作が、そのままホストＰＣ１０４に接続された大型ディスプレイ１０５の表示に反映される。
【０００６】
したがって、会議システムを構成するホストＰＣ１０４を、リモートＰＣ１０１のような携帯端末を利用して操作することができる。
【先行技術文献】
【特許文献】
【０００７】
【特許文献１】特開２００５−４９９９３号公報
【発明の概要】
【発明が解決しようとする課題】
【０００８】
上述したように、特許文献１に記載された会議システムは、ホストＰＣ１０４の表示画面がリモートＰＣ１０１に共有されると共に、リモートＰＣ１０１からホストＰＣ１０４上の描画を操作することができるものである。
【０００９】
ところで、電子会議においては、ホストＰＣ１０４に複数のリモートＰＣ１０１が接続された状態で、ある１台のリモートＰＣ１０１のみが有するデータやソフトウェアを表示した画面データを他のリモートＰＣ１０１に送信し、画面データの送信先の他のリモートＰＣ１０１を用いて、画面データの送信元の１台のリモートＰＣ１０１の操作を行いたい場合がある。
【００１０】
しかしながら、特許文献１に記載の会議システムでは、リモートＰＣ１０１が送信した操作コマンドはホストＰＣ１０４への操作として処理されるようになっているため、画面データの送信元の１台のリモートＰＣ１０１を、画面データの送信先の他のリモートＰＣ１０１を用いて操作することができなかった。
【００１１】
そこで本発明は、中央装置に複数の表示端末が接続されている画面共有システムにおいて、共有画面の送信元の表示端末を、共有画面の送信先の表示端末を用いて操作することができる画面共有システムを実現することを目的とする。
【課題を解決するための手段】
【００１２】
本発明の会議システムは、中央装置に複数の表示端末が接続された画面共有システムにおいて、中央装置は、複数の表示端末から、画面データ及びコマンドデータを含む受信データを受信する受信部と、複数の表示端末に、画面データ及びコマンドデータを送信する送信部と、受信部にて受信した受信データの種別を判定するデータ判定部と、複数の表示端末のうち１台をホスト端末として登録し、該ホスト端末を除く少なくとも１台の表示端末をゲスト端末として登録する端末登録部と、を備え、ホスト端末は、画面データを出力し、ゲスト端末は、ホスト端末を制御するためのコマンドデータを出力するものであり、データ判定部は、受信データが前記画面データであると判定した場合に、送信部に、ゲスト端末として登録された表示端末に受信データを送信するように指示し、受信データがコマンドデータであると判定した場合に、送信部に、ホスト端末として登録された表示端末に受信データを送信するように指示することを特徴とする。
【発明の効果】
【００１３】
本発明により、中央装置に複数の表示端末が接続されている画面共有システムにおいて、共有画面の送信元の表示端末を、共有画面の送信先の表示端末を用いて操作することができる。
【図面の簡単な説明】
【００１４】
【図１】本発明のネットワーク構成及びデータの流れを示した図である。
【図２】本発明の画面共有システムにおいて、ホスト端末からゲスト端末に画面データを送信する処理の流れを示した機能ブロック図である。
【図３】本発明の画面共有システムにおいて、ゲスト端末からホスト端末にコマンドデータを送信する処理の流れを示した機能ブロック図である。
【図４】本発明の画面共有システムにおいて、座標変換を行う様子を示した図である。
【図５】第４の実施形態における中央装置の送信部の構成を示した図である。
【図６】先行特許文献１に記載の会議システムを示した図である。
【００１５】
【発明を実施するための形態】
【００１６】
（第１の実施形態）
図１（ａ）及び（ｂ）は、本発明の画面共有システム１のネットワーク構成を示した図である。ハブとしての役割を持つ中央装置２には、複数のタブレット端末３が無線接続されている。タブレット端末３には、共有画面の送信元であるホスト端末として働く１台のタブレット端末３ｈと、共有画面の送信先であるゲスト端末として働く少なくとも１台のタブレット端末３ｇがある。
【００１７】
中央装置２とタブレット端末３はＷｉ−Ｆｉ（登録商標）方式で無線接続されているが、接続の方法はこれに限るものではなく、別の無線方式や、有線による接続であってもよい。
【００１８】
図２及び図３は、中央装置２とタブレット端末３のブロック構成及び処理の流れを示したものである。図２は、図１（ａ）に示したものと同様に、タブレット端末３ｈからタブレット端末３ｇに対して画面共有のための画面データを送る処理の流れを太線矢印で示したものである。図３は、図１（ｂ）に示したものと同様に、タブレット端末３ｇからタブレット端末３ｈに対してコマンドデータを送信する処理の流れを太線矢印で示したものである。なお、コマンドデータとしては、入力された座標を示す座標データや、入力された物理キーのキーコードのデータ等が挙げられる。
【００１９】
まず、図２を用いて、タブレット端末３ｈからタブレット端末３ｇに対して画面共有のための画面データを送る処理の流れについて説明する。
【００２０】
中央装置２は、制御部２２ｃ、表示部２３ｃ、送信部２５ｃ、受信部２６ｃ、データ判定部２７ｃ、端末登録部２８ｃを有する。端末登録部２８ｃは、中央装置２に接続されている複数のタブレット端末３から、１台をホスト端末として登録し、それを記憶する。さらに、ホスト端末を除くタブレット端末から少なくとも１台をゲスト端末として登録し、それを記憶する。なお、ホスト端末とゲスト端末の登録方法については、例えば各々のタブレット端末３が中央装置２に対して登録要求を行い、ホスト端末については最も早くに要求が行われた端末をホスト端末として登録するようにしてもよいし、中央装置２が自らホスト端末とゲスト端末を指定して登録するようにしてもよい。
【００２１】
ホスト端末であるタブレット端末３ｈは、入力部３１ｈ、制御部３２ｈ、表示部３３ｈ、コマンド変換部３４ｈ、送信部３５ｈ、受信部３６ｈを備える。なお、ゲスト端末であるタブレット端末３ｇの構成もタブレット端末３ｈと同様であり、入力部３１ｇ、制御部３２ｇ、表示部３３ｇ、コマンド変換部３４ｇ、送信部３５ｇ、受信部３６ｇを備える。タブレット端末３ｈとタブレット端末３ｇの構成は同様であり、相互に入れ替えが可能である。
【００２２】
タブレット端末３ｈの入力部３１ｈにおいてなされた入力は、制御部３２ｈによって処理され、処理後の表示内容が表示部３３ｈにおいて表示される。入力部３１ｈとしては、表示部３３ｈと一体化したタッチパネルであるものとするが、物理的なキーや、マウスを等の入力装置であってもよい。
【００２３】
また、制御部３２ｈによって処理された表示内容は、画面データの形式で送信部３５ｈへと受け渡される。送信部３５ｈは、受け取った画面データを、中央装置２へと送信する。なお、画面データとは、表示部３３ｈの表示画面を伝送できる形式にしたものであって、画像データであってもよいし、表示オブジェクトの種類や位置を表すオブジェクトデータであってもよい。また、画像データやオブジェクトデータは、表示部３３ｈに表示されている画面全体を表すものであってもよいし、一部分を表すものであってもよい。以降は、画面データとして、表示部３３ｈをキャプチャすることによって得られた画像データを用いるものとして説明を行う。
【００２４】
中央装置２は、受信部２６ｃにて受信したデータを、データ判定部２７ｃへと受け渡す。データ判定部２７ｃは、受信したデータの種別の判定を行う。ここでは、判定される種別は画面データとなるが、この場合は、受信データは制御部２２ｃ及び送信部２５ｃへと渡される。なお、送信部２５ｃがデータ判定部２７ｃを含む構成となっている場合には、送信部２５ｃがデータの種別の判定を行うようにしてもよい。
【００２５】
制御部２２ｃは、受け取った画像データを表示部２３ｃに表示するように制御する。また、データ判定部２７ｃは、送信部２５ｃに対して、受け取った画像データを、ゲスト端末として働く少なくとも１台のタブレット端末３ｇへと送信するように指示する。
【００２６】
ゲスト端末であるタブレット端末３ｇは、受信部３６ｇにて画像データを受信すると、データを制御部３２ｇへと渡す。制御部３２ｇは、受け取った画像データを表示部３３ｇに表示するように制御する。
【００２７】
以上のような処理を行うことによって、ホスト端末のタブレット端末３ｈの表示部３３ｈに表示されている内容は、中央装置２を介してゲスト端末のタブレット端末３ｇの表示部３３ｇや中央装置２の表示部２３ｃに表示され、画面の共有が行われる。なお、第１の実施形態においては、タブレット端末３ｈとタブレット端末３ｇの表示内容は全く同じであるものとする。
【００２８】
次に、図３を用いて、ゲスト端末のタブレット端末３ｇの入力部３１ｇへの入力によって、ホスト端末のタブレット端末３ｈを操作する処理の流れについて説明を行う。
【００２９】
タブレット端末３ｇの入力部３１ｇにおいて入力が行われると、その入力の座標データは制御部３２ｇを介してコマンド変換部３４ｇへと送られる。コマンド変換部３４ｇは、コマンドデータが座標データである場合、必要に応じて座標の変換を行い、その結果を送信部３５ｇへと受け渡すものであるが、本実施形態においては先述したようにタブレット端末３ｈとタブレット端末３ｇの表示内容は全く同じであるため、実質的には座標変換は行われない。送信部３５ｇは、受け取った座標データを中央装置２へと送信する。
【００３０】
中央装置２の受信部２６ｃは、受け取った座標データをデータ判定部２７ｃに受け渡す。データ判定部２７ｃは、受け取った受信データの種別の判定を行う。ここでは、判定される種別はコマンドデータとなるが、この場合は、受信データをホスト端末のタブレット端末３ｈへと送信するように、データ判定部２７ｃが送信部２５ｃに対して指示を行う。
【００３１】
そして、タブレット端末３ｈは、受信部３６ｈにて受け取った座標データを制御部３２ｈに渡す。制御部３２ｈは、その座標データを自己の入力部３１ｈに行われた入力の座標データと同じものとして扱い、当該座標データによる入力を処理する。さらに制御部３２ｈは、その処理結果後の画面状態を表示部３３ｈに表示するように制御するとともに、表示部３３ｈの表示内容を画像データとして、送信部３５ｈを通じて中央装置２へと送信する。以降の動作は、図２を用いて先述した画面共有の処理と同じであり、中央装置２によって表示部２３ｃとタブレット端末３ｇの表示部３３ｇに、タブレット端末３ｈの表示内容が表示され、共有が行われる。
【００３２】
したがって、例えばタブレット端末３ｇの入力部３１ｇのタッチパネル上において、タブレット端末３ｈから送信された共有画像内の所定の座標にある「保存」ボタンが押された場合、その座標データはタブレット端末３ｈに送られ、タブレット端末３ｈの入力部３１ｈでボタンが押されたものと同様に処理され、処理結果の表示内容が共有画像の画像データとしてタブレット端末３ｇへ送り返される。
【００３３】
このようにすることによって、中央装置に複数の表示端末が接続されている画面共有システムにおいて、共有画面の送信元の表示端末を、共有画面の送信先の表示端末を用いて操作することができる。このようなリモート操作は、ゲスト端末からホスト端末に対して座標データ等のコマンドデータさえ送ればよいため、例えばホスト端末で起動しているソフトウェアをゲスト端末が有していないような場合においても、ゲスト端末からホスト端末を操作することが可能となる。
【００３４】
なお、ゲスト端末とホスト端末を直接接続すれば、ゲスト端末からホスト端末を操作すること自体は可能となるが、意図された画面操作以外の操作が実行されてしまうという問題が生じる可能性がある。本発明は、ゲスト端末とホスト端末を直接接続することがないため、このようなセキュリティ面での問題の発生を抑制することができるという利点を有する。
【００３５】
また、上記の例においては、コマンドデータとしてタッチ入力による座標データを用いたが、これに限るものではなく、マウスのクリックによる座標データや、物理的なキーによるキーコードの情報であってもよい。
【００３６】
また、本実施形態においては、入力部３１ｈにおいてなされた入力は制御部３２ｈによって処理されて表示部３３ｈに表示されるものとしたが、これに限るものではなく、入力部３１ｈにおいてなされた入力は、制御部３２ｈと送信部３５ｈを介して中央装置２に送信され、中央装置２のデータ判定部２７ｃによってコマンドデータとして判定され、送信部２５ｃによってタブレット端末３ｈへと送り返されるようにしてもよい。送り返されたコマンドデータは、受信部３６ｈを介して制御部３２ｈに戻り、制御部３２ｈにおいて処理された結果が表示部３３ｈに表示される。このようにすることで、制御部３２ｈは、受け取った入力データが自端末の入力なのか、他の端末から送られてきた入力なのかを区別することなく扱うことができる。
【００３７】
さらには、本実施形態においてはネットワークに接続されたタブレット端末３のうち、ホスト端末でないものは全てゲスト端末としていたが、これら以外に、ホスト端末としてもゲスト端末としても働かない、ホスト候補端末といったものを備えていてもよい。ホスト候補端末は、中央装置２に対して自端末の表示部の画面データを送信している。一方、中央装置２は複数のホスト候補端末から送信される画面データのうち一つのみを、ゲスト端末であるタブレット端末３ｇに対して送信する。したがって、複数のホスト候補端末のうち、一つのみがホスト端末として働くこととなり、それ以外はホスト候補端末のままとなる。中央装置２は、上述のようにホスト候補端末がある場合においても、画面データを受信しているホスト端末のみにコマンドデータを送信するようにする。
【００３８】
（第２の実施形態）
第２の実施形態においては、タブレット端末３ｈの表示部３３ｈと、タブレット端末３ｇの表示部３３ｇの表示態様が異なる場合について説明を行う。なお、第１の実施形態と共通する部分については同一の符号を付し、説明を省略する。
【００３９】
第２の実施形態においては、ゲスト端末であるタブレット端末３ｇは、所定の操作によって、自己操作モードとリモート操作モードを切り替えることができる。自己操作モードにおいては、タブレット端末３ｇへの入力は、中央装置２に送られることはなく、自端末への入力として処理される。したがって、タブレット端末３ｇは、タブレット端末３ｈから中央装置２を経由して受信した共有画面の画面データの拡大・縮小や、位置の移動などを、タブレット端末３ｈの表示態様を変更することなく行うことが可能となっている。
【００４０】
一方で、リモート操作モードにおいては、第１の実施形態において説明したように、タブレット端末３ｇへの入力の座標データは、中央装置２を介してタブレット端末３ｈへと送信され、タブレット端末３ｈは受信した座標データに応じて処理を行う。
【００４１】
このように、自己操作モードとリモート操作モードを切り替えることができる場合においては、タブレット端末３ｇの表示内容とタブレット端末３ｈの表示内容は必ずしも一致しないため、タブレット端末３ｇにおいて行われた入力おいてユーザが意図していた位置の座標が、タブレット端末３ｈの対応する位置の座標と異なる場合がある。
【００４２】
具体的には、図４（ａ）の左図から中央図への変化として示したように、ゲスト端末のタブレット端末３ｇの自己操作モードにおいて拡大操作が行われており、ホスト端末のタブレット端末３ｈの表示内容とは異なっている場合などが挙げられる。
【００４３】
このような場合においては、タブレット端末３ｇは、自身の表示部３３ｇに対する入力座標データをそのまま中央装置２へと送信するのではなく、タブレット端末３ｈの表示部３３ｈの対応する位置の座標データに変換して、中央装置２へ送信する必要がある。以下、座標データの変換について説明を行う。
【００４４】
タブレット端末３ｇがリモート操作モードに切り替えられ、図４（ａ）の中央図において×印で示したように、タブレット端末３ｇのタッチパネル上のある座標がタッチされた場合、タブレット端末３ｇの入力部３１ｇは入力を検知し、制御部３２ｇを介して、座標データをコマンド変換部３４ｇへと受け渡す。コマンド変換部３４ｇでは、受け取った座標データを、画面データの拡大率や表示位置を参照し、その相対位置に基づいて、タブレット端末３ｈの表示部３３ｈにおいて対応する位置の座標データへと変換を行う。すなわち、図４（ａ）の中央図のタブレット端末３ｇで示した×印で示した位置は、楕円と三角形が重なる領域に対する入力であるため、図４（ａ）の右図のタブレット端末３ｈにおいても同様に楕円と三角形が重なる領域に対する入力となるよう、座標の変換を行う。
【００４５】
タブレット端末３ｇの送信部３５ｇは、この変換された座標データを中央装置２に送信し、中央装置２は、第１の実施形態において説明したように、データ判定部２７ｃによって受け取ったデータがコマンドデータの一つである座標データであると判定した後、送信部２５ｃによって座標データをタブレット端末３ｈに送信する。
【００４６】
タブレット端末３ｈは、第１の実施形態において説明したように、受信部３６ｈにて受け取った座標データを制御部３２ｈに受け渡し、処理結果を表示部３３ｈに表示するように制御する。さらに、その処理結果の画面表示の画面データを中央装置２に送信して共有を行う。
【００４７】
図４（ｂ）の左図及び中央図は、ゲスト端末のタブレット端末３ｇが横持ちから縦持ちに変化した様子を示している。タブレット端末３の縦横比が異なるため、持つ方向によってそのままでは表示できないような場合においては、例えば、タブレット端末３ｈの表示内容の画面データは、タブレット端末３ｇの表示部３３ｇの中心部に縮小して表示される。この状態において、図４（ｂ）の中央図において×印で示したように、タブレット端末３ｇのタッチパネル上のある座標がタッチされた場合にも同様に、タブレット端末３ｇに行われた入力の座標データはコマンド変換部３４ｇによって変換され、中央装置２を通じてタブレット端末３ｈに送信されて処理される。
【００４８】
このようにすることで、中央装置に複数の表示端末が接続されている画面共有システムにおいて、表示端末間の表示が異なっている場合においても、共有画面の送信元の表示端末を、共有画面の送信先の表示端末を用いて操作することができる。
【００４９】
なお、画面共有を行っている表示端末間で表示態様が異なるものとしては、上述の拡大・縮小や位置の移動を行った場合に限らず、端末の解像度が違う場合や、画面共有のソフトウェアのウィンドウの大きさや位置が異なっている場合も考えられる。このような場合においても同様に、自身の端末における入力座標の情報をそのまま中央装置２へと送信するのではなく、画面データの相対位置に基づいて、ゲスト端末における入力座標が指し示す位置が、ホスト端末における位置と一致するように座標データを変換して、中央装置２へ送信することによって、ユーザが意図するリモート操作を実現することができる。
【００５０】
なお、上述の座標変換は、コマンドデータが座標データである場合に行われるものであり、コマンドデータが例えばキーコードであるような場合には、コマンド変換部３４ｇは何も行わず、キーコードをそのまま送信部３５ｇに渡す。
【００５１】
（第３の実施形態）
第３の実施形態においては、リモート操作モードにおいて、ゲスト端末のタブレット端末３ｇにおいてされた入力の座標データを、中央装置２を介して逐一タブレット端末３ｈに送信するのではなく、一定の座標データをまとめて扱うことについて説明を行う。
【００５２】
ゲスト端末のタブレット端末３ｇの入力部３１ｇのタッチパネル上においてドラッグ操作が行われた場合、コマンド変換部３４ｇは、ドラッグ操作が継続されている間は座標データを送信部３５ｇに渡さず、ドラッグ操作が終了した時点において、ドラッグ開始点とドラッグ終了点の座標データ群として送信部３５ｇに渡す。
【００５３】
送信部３５ｇは、コマンド変換部３４ｇから上述の処理により座標データ群が送られてきた場合に、座標データ群を中央装置２に送信する。
【００５４】
したがって、ホスト端末のタブレット端末３ｈは、タブレット端末３ｇへの入力が継続されているような場合において、逐一座標データを受信して、その変化を中央装置２に送信する必要がなくなり、一連の座標入力をまとめたコマンドデータ群によって処理を行うことができるようになる。
【００５５】
なお、ドラッグ操作の完了まで座標データの送信を全く行わないのではなく、ドラッグ操作の継続中であっても、例えば１秒などの所定の間隔ごとに、座標データを送信部３５ｇに送信するようにしてもよい。
【００５６】
また、一連のコマンドデータをまとめてコマンドデータ群とする処理については、上述のドラッグ操作に限られるものではなく、例えばマウスによるダブルクリック操作や、キーボードによる文字入力のようなものであってもよい。ダブルクリック操作については、例えば２回目のクリック動作の完了により、ダブルクリックが行われた座標を送信部３５ｇに送信するようにすればよい。キーボードによる文字入力は、例えば一定の入力文字数ごとに、入力されたキーコード群を送信部３５ｇに送信するようにすればよい。
【００５７】
このようにすることで、中央装置に複数の表示端末が接続されている画面共有システムにおいて、ネットワークの伝送量を減らしながら、共有画面の送信元の表示端末を、共有画面の送信先の表示端末を用いて操作することができる。
【００５８】
（第４の実施形態）
第４の実施形態においては、機器同士が有線と無線の両方で接続されている場合に、適切な送信経路を選択することについて説明を行う。
【００５９】
本実施形態の中央装置２とタブレット端末３は、有線規格として、ＵＳＢ（Universal Serial Bus：登録商標）端子とＨＤＭＩ（High-Definition Multimedia Interface）端子を用いたＭＨＬ（Mobile High-definition Link）によって接続されている。また、Ｗｉ−Ｆｉを用いた無線規格として、主に動画伝送に用いられるＭｉｒａｃａｓｔ（登録商標）によっても接続されている。ただし、各有線・無線規格はこれに限るものではない。
【００６０】
本実施形態において、中央装置２、タブレット端末３ｈ、タブレット端末３ｇのそれぞれの送信部は、有線送信部、無線送信部、規格選択部を有する。なお、以降の説明は中央装置２の送信部２５ｃを例にとって説明するが、タブレット端末３ｈの送信部３５ｈ、タブレット端末３ｇの送信部３５ｇにおいても同様の構成となる。
【００６１】
図５に示したように、中央装置２の送信部２５ｃは、有線送信部２５１ｃ、無線送信部２５２ｃ、規格選択部２５３ｃを有する。有線送信部２５１ｃは上述のＭＨＬによる通信を行うものであり、無線送信部２５２ｃは上述のＭｉｒａｃａｓｔによる通信を行うものである。規格選択部２５３ｃは、送信部２５ｃに入力されたデータの種別を判定して、有線送信部２５１ｃまたは無線送信部２５２ｃのうち適切な方にデータを送信するように指示を行う。
【００６２】
したがって、中央装置２からタブレット端末３にデータ送信を行う場合において、例えばデータの種別が画面データであると判定された場合は、画面共有に適した規格であるＭｉｒａｃａｓｔによってデータの送受信が行われる。一方で、データの種別が座標データであると判定された場合は、遅延が少なく制御信号の伝送に適したＭＨＬによってデータのやり取りを行われる。
【００６３】
このように、複数の方法により中央装置２とタブレット端末３が接続されている場合において、データの種別に適した転送方法を選択することによって、中央装置に複数の表示端末が接続されている画面共有システムにおいて、画像データの画質や遅延防止性能を向上させながら、共有画面の送信元の表示端末を、共有画面の送信先の表示端末を用いて操作することができる。
【００６４】
【符号の説明】
【００６５】
１  画面共有システム
２  中央装置
３  タブレット端末
３ｈ  タブレット端末（ホスト端末）
３ｇ  タブレット端末（ゲスト端末）
２２ｃ  制御部、  ２３ｃ  表示部、  ２５ｃ  送信部、  ２６ｃ  受信部
２７ｃ  データ判定部、  ２８ｃ  端末登録部
３１ｈ、３１ｇ  入力部
３２ｈ、３２ｇ  制御部
３３ｈ、３３ｇ  表示部
３４ｈ、３４ｇ  コマンド変換部
３５ｈ、３５ｇ  送信部
３６ｈ、３６ｇ  受信部
２５１ｃ  有線送信部
２５２ｃ  無線送信部
２５３ｃ  規格選択部
【図１】
2014146229.tif 000003
【図２】
2014146229.tif 000004
【図３】
2014146229.tif 000005
【図４】
2014146229.tif 000006
【図５】
2014146229.tif 000007
【図６】
2014146229.tif 000008